(57)【要約】    【課題】      サーバを介することなく受信状態情報を取得し、受信状態の良好な方向をユーザに通知する放送受信装置、通信システム及び受信状態情報管理方法を提供する。    【解決手段】  受信状態情報管理部１０４は、放送波受信部１０１からチャンネル情報を、受信感度取得部１０２から受信感度を示す情報を、位置情報取得部１０３から位置情報を取得し、取得したこれらの情報を対応付けて受信状態情報として記憶部１０５に記憶させる。近傍通信部１０７は、記憶部１０５に記憶された受信状態情報を近傍装置に送信すると共に、送信先の近傍装置から受信状態情報を受信し、受信状態管理部１０４を介して記憶部１０５に記憶させる。受信状態管理部１０４は、記憶部１０５に記憶された受信状態情報に基づいて、現在地に対して受信感度の良好な方向を表示する。  【選択図】      図１
2006165755.tif 000002
【特許請求の範囲】
【請求項１】
放送波を受信する受信手段と、
前記受信手段によって受信された放送波の所定のチャンネルの受信感度を示す情報を取得する受信感度取得手段と、
前記受信感度取得手段が受信感度を示す情報を取得した場所の位置情報を取得する位置情報取得手段と、
前記チャンネル情報、前記受信感度取得手段によって取得された受信感度を示す情報、及び、前記位置情報取得手段によって取得された位置情報を受信状態情報として記憶する記憶手段と、
前記記憶手段に記憶された受信状態情報を送信すると共に、送信先から受信状態情報を受信し、受信した受信状態情報を前記記憶手段に記憶させる通信手段と、
前記記憶手段に記憶された受信状態情報に基づいて、現在地に対して受信状態の良好な方向を表示する表示手段と、
を具備することを特徴とする放送受信装置。
【請求項２】
受信状態情報を送受信可能な近傍の装置を検知する近傍装置検知手段を具備することを特徴とする請求項１に記載の放送受信装置。
【請求項３】
前記記憶手段に記憶された第１受信状態情報と、前記通信手段によって受信された第２受信状態情報とを比較し、前記第１受信状態情報と異なる前記第２受信状態情報を前記記憶手段に記憶させ、チャンネル情報及び位置情報が共通する前記第１受信状態情報と前記第２受信状態情報とのいずれかを選択して前記記憶手段に記憶させる受信状態情報管理手段を具備することを特徴とする請求項１又は請求項２に記載の放送受信装置。
【請求項４】
前記受信状態情報管理手段は、チャンネル情報及び位置情報が共通する前記第１受信状態情報と前記第２受信状態情報とのいずれかを選択する場合、位置情報が取得された時刻が遅い方の受信状態情報を選択することを特徴とする請求項３に記載の放送受信装置。
【請求項５】
前記受信状態情報管理手段は、チャンネル情報及び位置情報が共通する前記第１受信状態情報と前記第２受信状態情報とのいずれかを選択する場合、共通する位置までの距離が近い方の装置によって得られた受信状態情報を選択することを特徴とする請求項３に記載の放送受信装置。
【請求項６】
前記表示手段は、現在地に対して受信状態の良好な方角を表示することを特徴とする請求項１から請求項５のいずれかに記載の放送受信装置。
【請求項７】
前記表示手段は、現在地に対して受信状態の良好な方角を複数のチャンネルについて同時に表示することを特徴とする請求項１から請求項５のいずれかに記載の放送受信装置。
【請求項８】
前記表示手段は、現在地周辺における受信状態をレベル毎に色分けして表示することを特徴とする請求項１から請求項５のいずれかに記載の放送受信装置。
【請求項９】
放送波を受信する放送受信装置に記憶されたチャンネル情報、受信感度を示す情報、及び、位置情報を含む受信状態情報を放送受信装置間で送受信することを特徴とする通信システム。
【請求項１０】
放送波を受信する受信工程と、
前記受信工程で受信された放送波の所定のチャンネルの受信感度を示す情報を取得する受信感度取得工程と、
前記受信感度取得工程で受信感度を示す情報を取得した場所の位置情報を取得する位置情報取得工程と、
前記チャンネル情報、前記受信感度取得工程で取得した受信感度を示す情報、及び、前記位置情報取得工程で取得した位置情報を受信状態情報として送信すると共に、送信先から受信状態情報を受信する通信工程と、
前記通信工程で送信した受信状態情報と送信先から受信した受信状態情報とに基づいて、現在地に対して受信状態の良好な方向を表示する表示工程と、
を具備することを特徴とする受信状態情報管理方法。
【発明の詳細な説明】
【技術分野】
【０００１】
本発明は、放送受信装置、通信システム及び受信状態情報管理方法に関し、特に、移動中に放送波を受信する放送受信装置、この放送受信装置間で通信を行う通信システム及び受信状態情報管理方法に関する。
【背景技術】
【０００２】
近年、テレビの視聴が可能な携帯電話等の移動端末が普及しつつあり、ユーザは移動中又は移動先でもテレビの電波を受信できれば場所に制約されることなくテレビを視聴することができる。
【０００３】
このような移動端末を対象とした地上波デジタル放送では、１つのチャンネルの帯域（６ＭＨｚ）を１３分割したうちの１つ（１セグメント）が移動端末用に割り当てられ、サービスを提供する予定である。
【０００４】
移動端末を対象とした地上波デジタル放送には、伝搬環境の変動に強いＯＦＤＭ（Orthogonal Frequency Division Multiplex）方式が採用され、また、強力な誤り訂正等も採用されており、移動中でも安定した受信を実現しているものの、必ずしも常に安定した受信が行えるわけではない。例えば、ビルなどの建造物が障害となったり、気候条件によって受信が不安定になったりする。
【０００５】
このため、テレビ画像が不鮮明となるような受信状態の悪い場合には、ユーザはテレビ画像の鮮明さ（映り具合）を目安に、安定した受信が可能な場所を求めて移動する。移動に際して、ユーザはどの場所でテレビ再生中のチャンネルの受信状態が良好となるかを知ることができないので、無作為に移動するしかない。また、ユーザはテレビ再生中のチャンネル以外のチャンネルの受信状態を知るには、チャンネルサーチを行うことにより、現在地における放送エリアの全チャンネルについて受信可能か否かを調べなければならず、この処理を移動しながら各位置で行うには、非常に煩雑な処理を必要とするため多大な時間を費やしてしまう。
【０００６】
そこで、特許文献１に記載の技術が開示されている。特許文献１には、複数の移動端末が放送波を受信した位置における受信状態とその位置を示す位置情報とを受信状態情報としてサーバに送信し、各移動端末から送信された受信状態情報をサーバが集積及び管理し、移動端末からの要求に応じて受信状態情報を返送する技術が開示されている。
【特許文献１】特開２００４−１６５７２９号公報
【発明の開示】
【発明が解決しようとする課題】
【０００７】
しかしながら、上述した特許文献１に記載の技術では、サーバを設置及び管理する必要があると共に、膨大な数の移動端末から送信された受信状態情報がサーバに集中し、サーバの処理負担が増大するという問題がある。
【０００８】
本発明はかかる点に鑑みてなされたものであり、サーバを介することなく受信状態情報を取得し、受信状態の良好な方向をユーザに通知する放送受信装置、通信システム及び受信状態情報管理方法を提供することを目的とする。
【課題を解決するための手段】
【０００９】
本発明の第１の態様は、放送波を受信する受信手段と、前記受信手段によって受信された放送波の所定のチャンネルの受信感度を示す情報を取得する受信感度取得手段と、前記受信感度取得手段が受信感度を示す情報を取得した場所の位置情報を取得する位置情報取得手段と、前記チャンネル情報、前記受信感度取得手段によって取得された受信感度を示す情報、及び、前記位置情報取得手段によって取得された位置情報を受信状態情報として記憶する記憶手段と、前記記憶手段に記憶された受信状態情報を送信すると共に、送信先から受信状態情報を受信し、受信した受信状態情報を前記記憶手段に記憶させる通信手段と、前記記憶手段に記憶された受信状態情報に基づいて、現在地に対して受信状態の良好な方向を表示する表示手段と、を具備する放送受信装置である。
【００１０】
この構成によれば、自装置によって取得した受信状態情報の他に自装置以外から受信状態情報を受信するため、受信状態情報を蓄積することができ、蓄積した受信状態情報に基づいて、現在地に対して受信状態の良好な方向を求めることができるので、求めた方向を表示することによりユーザに通知することができる。
【００１１】
本発明の第２の態様は、上記態様において、受信状態情報を送受信可能な近傍の装置を検知する近傍装置検知手段を具備する放送受信装置である。
【００１２】
この構成によれば、受信状態情報を送受信可能な近傍の装置を検知することにより、検知した近傍装置と受信状態情報を互いに送受信することができる。
【００１３】
本発明の第３の態様は、上記態様において、前記記憶手段に記憶された第１受信状態情報と、前記通信手段によって受信された第２受信状態情報とを比較し、前記第１受信状態情報と異なる前記第２受信状態情報を前記記憶手段に記憶させ、チャンネル情報及び位置情報が共通する前記第１受信状態情報と前記第２受信状態情報とのいずれかを選択して前記記憶手段に記憶させる受信状態情報管理手段を具備する放送受信装置である。
【００１４】
この構成によれば、自装置に記憶された第１受信状態情報と自装置以外から受信した第２受信状態情報とが異なれば、第２受信状態情報を記憶し、チャンネル情報及び位置情報が共通する第１受信状態情報と第２受信状態情報とのいずれかを選択することにより、効率よく受信状態情報を蓄積することができる。
【００１５】
本発明の第４の態様は、上記態様において、前記受信状態情報管理手段が、チャンネル情報及び位置情報が共通する前記第１受信状態情報と前記第２受信状態情報とのいずれかを選択する場合、位置情報が取得された時刻が遅い方の受信状態情報を選択する放送受信装置である。
【００１６】
この構成によれば、位置情報が取得された時刻が遅い方の受信状態情報は、現在時刻における受信状態に近いと考えられるため、この受信状態情報を選択することにより、精度よく受信状態の良好な方向を求めることができる。
【００１７】
本発明の第５の態様は、上記態様において、前記受信状態情報管理手段が、チャンネル情報及び位置情報が共通する前記第１受信状態情報と前記第２受信状態情報とのいずれかを選択する場合、共通する位置までの距離が近い方の装置によって得られた受信状態情報を選択する放送受信装置である。
【００１８】
この構成によれば、共通する位置までの距離が近い方の装置によって得られた受信状態情報は、現在時刻における受信状態に近いと考えられるため、この受信状態情報を選択することにより、精度よく受信状態の良好な方向を求めることができる。
【００１９】
本発明の第６の態様は、上記態様において、前記表示手段が、現在地に対して受信状態の良好な方角を表示する放送受信装置である。
【００２０】
この構成によれば、現在地に対して受信状態の良好な方角を表示することにより、ユーザは表示された方角へ移動すれば、放送波を安定して受信することができる。
【００２１】
本発明の第７の態様は、上記態様において、前記表示手段が、現在地に対して受信状態の良好な方角を複数のチャンネルについて同時に表示する放送受信装置である。
【００２２】
この構成によれば、現在地に対して受信状態の良好な方角を複数のチャンネルについて同時に表示することにより、ユーザは現在視聴中のチャンネルのみならず、他のチャンネルの受信状態の良好な方向を認識することができる。
【００２３】
本発明の第８の態様は、上記態様において、前記表示手段が、現在地周辺における受信状態をレベル毎に色分けして表示する放送受信装置である。
【００２４】
この構成によれば、現在地周辺における受信状態をレベル毎に色分けして表示することにより、現在地に対して受信状態の良好な方向をユーザに通知することができる。
【００２５】
本発明の第９の態様は、放送波を受信する放送受信装置に記憶されたチャンネル情報、受信感度を示す情報、及び、位置情報を含む受信状態情報を放送受信装置間で送受信する通信システムである。
【００２６】
この構成によれば、自装置によって取得した受信状態情報の他に自装置以外から受信状態情報を受信するため、受信状態情報を蓄積することができ、蓄積した受信状態情報に基づいて、現在地に対して受信状態の良好な方向を求めることができる。
【００２７】
本発明の第１０の態様は、放送波を受信する受信工程と、前記受信工程で受信された放送波の所定のチャンネルの受信感度を示す情報を取得する受信感度取得工程と、前記受信感度取得工程で受信感度を示す情報を取得した場所の位置情報を取得する位置情報取得工程と、前記チャンネル情報、前記受信感度取得工程で取得した受信感度を示す情報、及び、前記位置情報取得工程で取得した位置情報を受信状態情報として送信すると共に、送信先から受信状態情報を受信する通信工程と、前記通信工程で送信した受信状態情報と送信先から受信した受信状態情報とに基づいて、現在地に対して受信状態の良好な方向を表示する表示工程と、を具備する受信状態情報管理方法である。
【００２８】
この方法によれば、自装置によって取得した受信状態情報の他に自装置以外から受信状態情報を受信するため、受信状態情報を蓄積することができ、蓄積した受信状態情報に基づいて、現在地に対して受信状態の良好な方向を求めることができるので、求めた方向を表示することによりユーザに通知することができる。
【発明の効果】
【００２９】
本発明によれば、自装置及び他の放送受信装置から受信状態情報を取得することにより、サーバを介することなく受信状態情報を取得し、受信状態の良好な方向をユーザに通知する放送受信装置、通信システム及び受信状態情報管理方法を提供することができる。
【発明を実施するための最良の形態】
【００３０】
以下、本発明の実施の形態について、図面を参照して詳細に説明する。
【００３１】
（実施の形態）
図１は、本発明の実施の形態に係るデジタル放送受信装置１００の構成を示すブロック図である。この図において、放送波受信部１０１は、受信した放送波からユーザによって指定されたチャンネルの周波数信号を抽出するチューナであり、抽出した周波数信号を受信感度取得部１０２に出力する。また、放送波受信部１０１はユーザによって指定されたチャンネル情報を受信状態情報管理部１０４に通知する。
【００３２】
受信感度取得部１０２は、放送波受信部１０１から出力された周波数信号に基づいて、受信感度を計算し、得られた受信感度を受信状態情報管理部１０４に出力する。ここで、受信感度としては、放送波の電波の強さを表すＣ／Ｎ比（Carrier to Noise Ratio:搬送波電力対雑音電力比）、または、デコード結果の誤り率を表すＢＥＲ（Bit Error Rate:ビット誤り率）、さらには、これらを組み合わせて計算した値などが考えられる。
【００３３】
位置情報取得部１０３は、ＧＰＳ（Global Positioning System）を用いて現在地の位置情報（緯度・経度）を取得し、取得した位置情報を受信状態情報管理部１０４に出力する。なお、位置情報としては、緯度・経度に代えて、基地局情報を用いてもよい。
【００３４】
受信状態情報管理部１０４は、放送波受信部１０１から通知されたチャンネル、受信感度取得部１０２から出力された受信感度、位置情報取得部１０３から出力された位置情報を記憶部１０５に蓄積する。また、後述する近傍通信部１０７から取得した受信状態情報と記憶部１０５に蓄積している受信状態情報とを比較し、記憶部１０５に蓄積されている受信状態情報を更新するなどの管理を行う。
【００３５】
記憶部１０５は、チャンネル、位置情報、受信感度などの情報をそれぞれ対応付けて記憶する。ここでは、受信感度を所定の範囲毎にレベル分けし、受信感度取得部１０２によって取得された受信感度が該当するレベルを記憶する。
【００３６】
近傍装置検知部１０６は、予め指定された周期又はユーザの操作によって、後述する近傍通信部１０７がデジタル放送受信装置１００の近傍に存在する他のデジタル放送受信装置（以下、「近傍装置」という）から信号を受信し、受信状態情報を交換可能な近傍装置が存在するか否かを検知する。受信状態情報を交換可能な近傍装置が存在する場合、近傍通信部１０７に近傍装置との通信を指示する。なお、近傍装置検知部１０６は近傍装置を検知する特定のセンサーを用いてもよい。
【００３７】
近傍通信部１０７は、近傍装置検知部１０６からの指示を受けると、赤外線通信、Ｂｌｕｅｔｏｏｔｈ（登録商標）、無線ＬＡＮ（Local Area Network）のアドホック通信などを利用して、記憶部１０５に記憶された受信状態情報を近傍装置に送信する一方、近傍装置から受信状態情報を受信する。これにより、デジタル放送受信装置１００はサーバを介さずに近傍装置と受信状態情報を交換することができ、サーバに受信状態情報が一局集中する場合に比べ、受信状態情報の管理にかかる処理負担を分散させることができる。なお、近傍通信部１０７は、受信状態情報の送信の際に、現在地を示す位置情報をヘッダ情報に含めてもよい。
【００３８】
表示部１０８は、現在地に対して受信感度の良好な方向を表示したり、受信感度のレベル毎に色分けしたマップを表示したりする。なお、表示部１０８はテレビ画像を表示するメインディスプレイでもよいし、それとは別のサブディスプレイなどでもよい。
【００３９】
次に、上述した構成を有するデジタル放送受信装置１００の動作について図２を用いて説明する。図２において、ステップ（以下、「ＳＴ」と省略する）２０１では、受信感度取得部１０２が放送波受信部１０１から出力された周波数信号に基づいて、受信感度を取得する。
【００４０】
ＳＴ２０２では、位置情報取得部１０３がＧＰＳを用いて現在地の位置情報を取得し、ＳＴ２０３では、受信状態情報管理部１０４が受信感度、位置、チャンネルを示す各情報を収集し、受信状態情報を作成し、作成した受信状態情報を記憶部１０５に蓄積する。
【００４１】
ＳＴ２０４では、近傍装置検知部１０６が受信状態情報を交換可能な近傍装置が存在するか否かを確認し、近傍装置が存在すれば（ＹＥＳ）ＳＴに２０５移行し、近傍装置が存在しなければ（ＮＯ）ＳＴ２０１に戻る。
【００４２】
ＳＴ２０５では、近傍通信部１０７を介して近傍装置と受信状態情報を交換し、ＳＴ２０６では、受信状態情報管理部１０４が記憶部１０５に蓄積された受信状態情報と近傍装置から取得した受信状態情報とを比較し、比較結果に基づいて記憶部１０５に蓄積されている受信状態情報を更新する。比較・更新方法の詳細については後述する。
【００４３】
ＳＴ２０７では、受信状態情報管理部１０４が現在地における受信状態と周辺の受信状態とを比較し、ＳＴ２０８では、ＳＴ２０７における比較結果を基に、表示部１０８が受信状態の良好な位置を表示する。
【００４４】
次に、上述したＳＴ２０６における受信状態情報の比較・更新方法について図３を用いて説明する。図３は、デジタル放送受信装置Ａ（以下、「装置Ａ」という）及びデジタル放送受信装置Ｂ（以下、「装置Ｂ」という）を示し、装置Ａに記憶された受信状態情報に対応するエリアと、装置Ｂに記憶された受信状態情報に対応するエリアを示している。装置Ａが装置Ｂと受信状態情報の交換を行う場合、重複しないエリアに対応する受信状態情報は互いにそのまま記憶する。一方、重複するエリア（図中斜線部分）に対応する受信状態情報はいずれかの情報を選択するか、両者の平均を求める必要がある。
【００４５】
複数の受信状態情報のうちいずれかを選択する際の方法として、時間優先と距離優先が考えられる。時間優先とは、複数の受信状態情報が同じ位置情報及び同じチャンネル情報である場合、時刻情報が最新の情報を選択する方法である。また、距離優先とは、複数の受信状態情報が同じ位置情報及び同じチャンネル情報である場合、その位置情報が示す位置に近い装置に記憶されている情報を選択する方法である。
【００４６】
ここで、装置Ａが装置Ｂと受信状態情報の交換を行い、装置Ｂから受信状態情報を取得する場合について説明する。装置Ａは図４に示す受信状態情報を有し、装置Ｂは図５に示す受信状態情報を有するものとする。ここでは、受信状態情報を、図４及び図５に示すように、ＩＤ、チャンネル情報（ch）、位置情報（position）、受信感度レベル（status）、受信感度及び位置情報を取得した時刻（time）、自装置が取得（self）したか希望装置から取得（ext）したかを示す情報（source）の組合せとする。
【００４７】
装置Ａは、装置Ｂから受信状態情報を取得すると、取得した情報と記憶している情報とを比較し、チャンネル情報と位置情報とが一致する情報の有無を確認する。取得した情報が記憶している情報と一致しなければ、装置Ａは取得した情報を記憶し、取得した情報が記憶している情報と一致すれば、装置Ａは時間優先に基づいていずれか一方の情報を選択する。図４及び図５を例に具体的に説明すると、装置Ｂから取得したＩＤ＝１と一致する情報は装置Ａにはなく、装置Ａは装置Ｂから取得したＩＤ＝１を記憶する。また、装置Ｂから取得したＩＤ＝２と装置Ａの有するＩＤ＝２が一致するので、装置Ａはそれぞれの時刻を比較し、新しい情報、すなわち装置Ｂから取得したＩＤ＝２を記憶する。この結果、装置Ａの記憶部１０５には、図６に示すような更新された受信状態情報が記憶される。
【００４８】
次に、表示部１０８の表示イメージについて図７を用いて説明する。図７（ａ）は、受信状態の良好な方角を表示する様子を示しており、矢印の方向、すなわち西側が受信状態の良好なことを示している。すなわち、ユーザは表示された方角へ移動すれば、放送波を安定して受信することができる。
【００４９】
図７（ｂ）は、受信状態の良好な方角を複数のチャンネルについて同時に表示する様子を示しており、ユーザは現在視聴中のチャンネルのみならず、他のチャンネルの受信状態の良好な方向を認識することができる。図７（ｃ）は、現在地周辺における受信状態をレベル毎に色分けして表示する様子を示している。これにより、現在地に対して受信状態の良好な方向をユーザに通知することができる。
【００５０】
ここで、図７（ａ）及び図７（ｂ）では、矢印の長さで距離を、矢印の幅又は色で受信感度を表すと、より分かりやすいものとなる。また、図７（ｂ）では、多くのチャネル情報について同時に表示すると画面が煩雑になり、分かりにくいので、例えば、距離の近いものから順に、あるいは、感度の高いものから順に所定数表示するようにしてもよい。また、ユーザが指定したチャンネルを優先的に表示するようにしてもよい。
【００５１】
なお、方角を示す際には、デジタル放送受信装置１００に電子コンパスのような方位取得手段を設けることにより、現在地に対して受信状態の良好な方向をより明確に示すことができる。
【００５２】
このように本実施の形態によれば、チャンネル情報、位置情報及び受信感度を含む受信状態情報を取得すると共に、取得した受信状態情報を近傍のデジタル放送受信装置が取得した受信状態情報と交換することにより、サーバを介することなく受信状態情報を取得することができ、また、蓄積及び更新した受信状態情報に基づき、受信状態の良好な方向を表示することにより、受信状態の良好な方向をユーザに通知することができる。
【００５３】
なお、本実施の形態では、デジタル放送受信装置を例に説明したが、本発明はこれに限らず、アナログ放送受信装置でもよい。
【産業上の利用可能性】
【００５４】
本発明にかかる放送受信装置、通信システム及び受信状態情報管理方法は、サーバを介することなく受信状態情報を取得し、受信状態の良好な方向をユーザに通知するという効果を有し、携帯電話等の小型携帯端末に適用することができる。
【図面の簡単な説明】
【００５５】
【図１】本発明の実施の形態に係るデジタル放送受信装置の構成を示すブロック図
【図２】図１に示したデジタル放送受信装置の動作を示すフロー図
【図３】図１に示したデジタル放送受信装置に記憶された受信状態情報に対応するエリアを示す図
【図４】図３に示した装置Ａの有する受信状態情報を示す図
【図５】図３に示した装置Ｂの有する受信状態情報を示す図
【図６】更新された受信状態情報を示す図
【図７】（ａ）受信状態の良好な方角を表示する様子を示す図、（ｂ）受信状態の良好な方角を複数のチャンネルについて同時に表示する様子を示す図、（ｃ）現在地周辺における受信状態をレベル毎に表示する様子を示す図
【符号の説明】
【００５６】
１０１  放送波受信部
１０２  受信感度取得部
１０３  位置情報取得部
１０４  受信状態情報管理部
１０５  記憶部
１０６  近傍装置検知部
１０７  近傍通信部
１０８  表示部
【図１】
2006165755.tif 000003
【図２】
2006165755.tif 000004
【図３】
2006165755.tif 000005
【図４】
2006165755.tif 000006
【図５】
2006165755.tif 000007
【図６】
2006165755.tif 000008
【図７】
2006165755.tif 000009